(57)【要約】【課題】道路等の路肩に沿って設置され、一部がコンクリート製の地覆又は壁高欄に埋設される鋼製の排水溝において、地震や高欄へのコンクリート部分と排水溝との境目より浸透する雨水を遮断できるようにする。【解決手段】排水溝１は、排水枠２とカバー３より構成され、カバー本体３ｄと共にカバー３を構成する支持金具３ｃは排水溝１の一部と共に地覆８に埋設され、支持金具３ｃ上には排水枠２を構成する側壁２ｃと接合して固着される立ち上がり部３ａを有し、該立ち上がり部３ａは支持金具３ｃと地覆８との間より浸水した雨水を遮る遮水部としての機能とアンカー機能を有する。【選択図】図５
2019052471.tif 000002
【特許請求の範囲】
【請求項１】
道路等の路肩に沿って設置され、一部がコンクリート製の地覆又は壁高欄に埋設される排水溝であって、該排水溝の地覆又は壁高欄に埋設される箇所には、地覆又は壁高欄のコンクリート部分と排水溝との境目より浸透する雨水を遮る遮水部を上向きに突出して設けたことを特徴とする排水溝。
【請求項２】
前記排水溝の地覆又は壁高欄に埋設される箇所には、前記遮水部で遮られた雨水を排水溝内に流出させるための流出孔を形成したことを特徴とする請求項１記載の排水溝。
【請求項３】
前記排水溝が鋼製で、底壁と、底壁両側の側壁よりなる断面凹形の排水路４と、該排水路上に被さり、少なくとも一部が取外し可能であるカバーよりなり、前記遮水部が前記排水路を構成する側壁の延長上に該側壁と一体をなして形成されることを特徴とする請求項１又は２記載の排水溝。
【発明の詳細な説明】
【技術分野】
【０００１】
本発明は、橋梁や道路等（以下、これらを代表して単に道路という）の路肩の地覆又は壁高欄に沿って設置される排水溝に関する。
【背景技術】
【０００２】
道路の多くには、排水路として路肩に沿って排水溝や排水桝が設置され、道路に降り注いだ雨水は排水溝や排水桝に流入し、排出されるようにしてある。この種の排水溝の一つに排水溝が凹形の排水枠と、該排水枠上に被さるカバーよりなり、排水溝の一部がコンクリート製の地覆に埋設されるものが知られる（特許文献１）。
【０００３】
排水溝の通水面積を拡げるには、排水溝の溝幅を拡げる方法、深さを深くする方法又は両方法を組合わせる方法があるが、溝幅を拡げるのは路面に露出する面積が大きくなり、排水溝に被さるカバーが金属製である場合とくに、自動車、とりわけバイクや自転車がスリップして転倒する事故を起こし易くなる。排水溝を深くするのも地面の掘削量が増え、施工コストを上昇させる。
【０００４】
この点、特許文献１に記載されるように、一部を地覆に埋設させる排水溝では、路面に露出する面積を増やすことなく、また深さを深くすることなく通水面積を増やすことが可能である。
【先行技術文献】
【特許文献】
【０００５】
【特許文献１】特開２００６−２２５９４５号公報
【発明の概要】
【発明が解決しようとする課題】
【０００６】
本発明は、コンクリート製の地覆や壁高欄に排水溝の一部を埋設することによって、路面での露出面積を増やすことなく、また深さを深くすることなく通水面積を増やすことができるようにしたものであるが、この場合の一つの問題は、地覆や壁高欄のコンクリート部分と、排水溝との境界部より雨水が浸透して地覆や壁高欄内の鉄筋や、鋼製排水溝のコンクリートで覆われる部分が腐食し易くなることである。
【０００７】
本発明は、この問題を解消するためになされたもので、地震や高欄へのコンクリート部分と排水溝との境目より浸透する雨水を遮断し、雨水がそれ以上奥に浸透しないようにする排水溝を提供することを目的とする。
【課題を解決するための手段】
【０００８】
請求項１に係る発明は、道路等の路肩に沿って設置され、一部がコンクリート製の地覆又は壁高欄に埋設される鋼製の排水溝であって、該排水溝の地覆又は壁高欄に埋設される箇所には、地覆又は壁高欄のコンクリート部分と排水溝との境目より浸透する雨水を遮る遮水部を上向きに突出して設けたことを特徴とする。
【０００９】
請求項２に係る発明は、請求項１に係る発明において、前記排水溝の地覆又は壁高欄に埋設される箇所には、前記遮水部で遮られた雨水を排水溝内に流出させるための流出孔を形成したことを特徴とし、
請求項３に係る発明は、請求項１又は２に係る発明において、前記排水溝が鋼製で、底壁と、底壁両側の側壁よりなる断面凹形の排水路４と、該排水路上に被さり、少なくとも一部が取外し可能であるカバーよりなり、前記遮水部が前記排水路を構成する側壁の延長上に該側壁と一体をなして形成されることを特徴とする。
【発明の効果】
【００１０】
請求項１に係る発明によると、地覆又は壁高欄のコンクリート部受と排水溝との境界部分より雨水が浸透するようなことがあっても遮水部で遮られ、それ以上地覆又は壁高欄間に浸透するのを妨げることができる。
【００１１】
請求項２に係る発明のよると、遮水部で遮られた雨水は地覆又は壁高欄内に溜まることなく、流出孔より排水路内に排出されるようになる。
【００１２】
請求項３に係る発明によると、遮水部を別工程を要することなく、排水路製作時に同時に形成することができる。
【図面の簡単な説明】
【００１３】
【図１】排水溝の平面図。
【図２】同正面図。
【図３】同拡大縦断面図。
【図４】排水溝の地覆への施工例を示す断面図。
【図５】図４の要部の拡大断面図。
【図６】図５の別の態様の要部の拡大断面図。
【図７】更に別の態様を示す要部の拡大断面図。
【図８】排水溝の壁高欄への施工例を示す要部の断面図。
【図９】図８の別の態様を示す要部の断面図。
【図１０】更に別の態様を示す要部の断面図。
【図１１】図１０の別の態様を示す要部の断面図。
【発明を実施するための形態】
【００１４】
以下、本発明に係る排水溝の実施形態について図面により説明する。
図１は、全体を符号１で示す排水溝の平面図、図２は正面図、図３は断面図で、排水溝１は断面が凹形をなす排水路としての排水枠２と、該排水枠上に被さるカバー３とよりなり、排水枠２は図１〜図３に示すように、底壁２ａと、該底壁２ａの両端より立ち上がる側壁２ｂ及び２ｃと、底壁上に一定間隔で二列、上向きに突設される支柱２ｄよりなり、前記側壁２ｂ及び２ｃのうち、背丈の低い道路側の側壁２ｂには、外側方に突出するアンカー２ｅが複数か所、固着されていると共に、内側方に突出する受材２ｆが前記アンカー２ｅの両側に位置して固着されている。
【００１５】
側壁２ｂの反対側に該側壁２ｂと対峙して突設される側壁２ｃは、前記側壁２ｂより背が高く、両端に上向き及び下向きに突出形成されるフランジ状の立上がり部３ａ及び垂直部３ｂを備えた水平な支持金具３ｃの立上がり部３ａが側壁２ｃの上側部内側面に当てられ、かつ立上がり部上端を側壁上端に揃えた状態でボルト４とナット５にて側壁長手方向に沿って複数か所、適当間隔にて止着されている。そして側壁２ｃ外側には中央部と、その両側にアンカー６が外側方に突出して設けられている。前記立上がり部３ａは、側壁２ｃ上側部にボルト４とナット５を用いて止着するのに代えて溶接にて取着してもよい。
【００１６】
前記支持金具３ｃと共に排水枠２のカバー３を構成するカバー本体３ｄが図３に示すように、断面倒Ｌ形をなして前記支柱２ｄ上に載置され、側壁２ｂ側の一端より下向きに突出形成される垂直部３ｅには、前記受材２ｆに上方より嵌合する凹部３ｆを有し、該凹部３ｆに受材２ｆを嵌合させた状態で垂直部３ｅの下端が底壁２ａに着床できるようにしてある。
【００１７】
以上のように構成されたカバー３は、その一部を構成する支持金具３ｃが排水枠２の側壁２ｃ上側部にボルト４とナット５にて固着されているが、支柱２ｄ上に載置されるカバー本体３ｄは凹部３ｆを受材２ｆより離脱させながら持上げることにより、容易に取外し可能となっている。
【００１８】
前記各支柱２ｄ上に載置され、かつ垂直部３ｅ下端を底壁２ａに着床して水平に支持されるカバー本体３ｄは、側壁２ｃ側の一端が前記支持金具３ｃの垂直部３ｂに突き当たった状態となっている（図３）。
【００１９】
前記カバー本体３ｄと、支持金具３ｃの垂直部３ｂが突き当たる箇所には、通水孔３ｇがカバー本体３ｄと、支持金具３ｃの垂直部３ｂの両側に双方に直角に跨がるようにして複数か所ずつ形成されている。
【００２０】
図１及び図２に示す符号７は支持金具３ｃに取着される接続金具で、前記排水溝１を道路路肩に、道路長手方向に沿って一直線上に連設したとき、隣接する排水溝１の支持金具３ｃに係止し、排水溝が段差なく接続できるようにするためのものである。
【００２１】
本実施形態の排水溝１は以上のように構成され、その施工は次のようにして行われる。
図４及びその要部の拡大図である図５に示すように、コンクリート床版７上の所定位置に排水溝１を位置決めして設置したのち、地覆形成のため図示しない型枠を支持金具３ｃの垂直部３ｂの側面より当てて、カバー本体３ｄ上に設置すると共に、コンクリート床版８の側端面に当てて設置する。その後、両型枠内にコンクリートを所定の高さまで打設することにより、支持金具３ｃの垂直部３ｂと面一をなして立ち上がる地覆９を形成し、これにより支持金具３ｃを含む排水溝１の一部を地覆９に埋設された状態にする。図４に示すシーリング材１１は地覆形成後、支持金具３ｃと地覆９との間に充填され、シールする。
【００２２】
前記地覆８の形成に前後してコンクリート床版８上には側壁２ｂに至るまでアスファルトが装填され、舗装層１２が形成される。この舗装層１２の表面は、側壁２ｂに向かって緩やかに傾斜する勾配を有し、側壁上端と面一をなして路面上に降り注いだ雨水が排水溝１上に達し、前記通水孔３ｇを通って排水枠２内に流入し、排水されるようにしてある。
【００２３】
長期間の経過により、前記シーリング材１１が脱落するか、脱落しないまでもシーリング材１１とコンクリート製地覆９との間より雨水の侵入があった場合、図５の矢印方向に侵入した雨水は支持金具３ｃの立上がり部３ａで遮られ、それ以上地覆内に奥深く浸水することはない。しがたってこの実施形態では、立上がり部３ａが遮水部となる。
【００２４】
側壁２ｅに添設の立上がり部３ａはまた、遮水部３ａとしての機能ばかりでなく、地覆中においてアンカー６と共にアンカー機能をも果たすようになり、立上がり部３ａの立ち上がり高さを十分に取り、該立上がり部のみでアンカー機能を十分に果たすことができれば、アンカー６は省くことができる。
【００２５】
図６は、立上がり部３ａ寄りの支持金具端部に流出孔１４を設けた実施形態を示すもので、支持金具上に侵入した雨水が支持金具上で溜まることなく流出孔１４より排水枠２内に排出されるようになっている。
【００２６】
前記実施形態の支持金具３ｃは垂直部３ｂを備えているが、図５及び図６に示される実施形態に対応する図７に示す実施形態においては、支持金具３ｃは垂直部３ｂを有していない。これによりカバー本体３ｄと段差を有する支持金具３ｃはカバー本体３ｄとの間に横向きの通水穴１６が形成され、カバー本体３ｄ上に流入した雨水が通水穴１６を通ってスムースに排水枠２に排水されるようになっている。
【００２７】
図７に示す実施形態においては、ボルト１７が前記ボルト４より長く形成され、これと共に側壁２ｃに添設の支持金具３ｃの立上がり部３ｇが前記立上がり部３ａより高く形成することにより、両者で十分なアンカー効果をもたらすため、前記実施形態のアンカー６を省いている。
【００２８】
前記実施形態では立上がり部３ａを遮水部としているが、支持金具３ｃの任意の箇所に上向きに突出する遮水部を設けてもよいが、支持金具３ｃを側壁２ｃに固定するためにはフランジ状の立上がり部３ａが必要で、立上がり部３ａ以外に遮水部を設けるのは構造が複雑になる嫌いがある。いずれにしても遮水部は垂直に立ち上がるものに限定されるものではなく、斜め上向きに突出するものであってもよく、また厚みも一定でなくてもよい。
【００２９】
前記実施形態はまた、排水溝１の一部を地覆９に埋設した例を示すものであるが、図８及び図９に示す実施形態は、排水溝１の一部をコンクリート製の壁高欄１８を埋設した例を示すものである。
【００３０】
図８は図５に示すような垂直部３ｂを備えた支持金具３ｃを有する排水溝１を用いて壁高欄１８を施工した例、図９は図６に示すように、流出孔１４を形成した支持金具３ｃを有する排水溝１を用いて壁高欄１８を施工した例、図１０は図８に示す支持金具３ｃと同じ支持金具を用いた排水溝の壁高欄１８への施工例、図１１は図７に示す支持金具３ｃを用いた壁高欄１８への施工例をそれぞれ示すもので、前記実施形態と同一符号を付した部分は同一構造となっている。
【符号の説明】
【００３１】
１・・排水溝
２・・排水枠
２ｂ、２ｃ・・側壁
２ｄ・・支柱
３・・カバー
３ａ・・立上がり部
３ｃ・・支持金具
３ｄ・・カバー本体
３ｇ・・通水孔
６・・アンカー
８・・コンクリート床版
９・・地覆
１１・・シーリング材
１２・・舗装層
１４・・流出孔
１６・・通水孔
１８・・壁高欄
【図１】
2019052471.tif 000003
【図２】
2019052471.tif 000004
【図３】
2019052471.tif 000005
【図４】
2019052471.tif 000006
【図５】
2019052471.tif 000007
【図６】
2019052471.tif 000008
【図７】
2019052471.tif 000009
【図８】
2019052471.tif 000010
【図９】
2019052471.tif 000011
【図１０】
2019052471.tif 000012
【図１１】
2019052471.tif 000013